(57)【特許請求の範囲】
【請求項１】
所定の水分量のミストを室内に噴出する第１状態と、前記第１状態と比較して多くの水分量のミストを前記室内に噴出する第２状態とが切り換えられるミスト噴出手段、及び前記ミスト噴出手段を制御するミスト噴出制御手段を有する湯水噴出装置と、
前記浴室内に温風を送風する送風手段を有する空調装置とを備え、
前記ミスト噴出手段によるミストの噴出と、前記送風手段による温風の送風とを連動して行うミストモードの開始時に、前記ミスト噴出手段によるミストの噴出の前に、前記送風手段によって温風を室内に吹き出し、室内の温度を上昇させた後、前記送風手段によって温風を室内に吹き出すと共に、前記ミスト噴出制御手段は、温水が所定温度であると、前記ミスト噴出手段により前記第１状態で室内の温度低下を防ぐような所定の水分量のミストを噴出して前記室内を所定の温度にした後、前記ミスト噴出手段により前記第２状態で前記第１状態と比較して多くの水分量のミストを噴出する
ことを特徴とする湯水噴出空調システム。
【請求項２】
前記ミストモードの実行時に、前記ミスト噴出制御手段は、前記ミスト噴出手段により前記第１状態で室内の温度低下を防ぐような所定の水分量のミストを噴出して前記室内を所定の温度にした後、前記ミスト噴出手段を第２状態にして前記第１状態と比較して多くの水分量のミストを噴出して、前記室内を所定の湿度とした後、前記ミスト噴出手段を室内の温度低下を防ぐような所定の水分量のミストを噴出する第１状態にする
ことを特徴とする請求項１記載の湯水噴出空調システム。
【請求項３】
前記ミスト噴出手段は、室内の温度低下を防ぐような所定の水分量のミストを噴出する前記第１状態で所定の粒径のミストを噴出し、前記第１状態と比較して多くの水分量のミストを噴出する前記第２状態で前記第１状態と比較して粒径の大きいミストを噴出する
ことを特徴とする請求項１又は２記載の湯水噴出空調システム。
【発明の詳細な説明】
【技術分野】
【０００１】
本発明は、ミストの噴出及び空気の送風を行うことにより、浴室内にミストサウナ環境をつくる湯水噴出空調システムに関する。
【背景技術】
【０００２】
従来より、浴室内へ空気を送風する浴室空調装置と、浴室内へミストを噴出する湯水噴出装置とを備え、浴室内にミストサウナ環境をつくる湯水噴出空調システムが提案されている。このような湯水噴出空調システムを構成する湯水噴出装置として、スイッチの切替えにより、噴出口からのミストの噴出状態を変化させるものが提案されている（例えば特許文献１参照）。
【０００３】
特許文献１に開示される湯水噴出装置としてのミスト装置では、スイッチの切替えにより、粒径が大きい又は多量のミストの噴出、若しくは、粒径が小さい又は少量のミストの噴出が行われる。
【０００４】
【特許文献１】特開２００２−６１８６０号公報
【発明の開示】
【発明が解決しようとする課題】
【０００５】
しかし、特許文献１に開示されるような従来の湯水噴出装置においては、次のような問題がある。図２２は従来の湯水噴出装置による、ミスト噴出時の温度及び湿度の変化を示すグラフである。図２２Ａはミスト噴出時の温度の時間変化を示しており、図２２Ｂはミスト噴出時の湿度の時間変化を示している。それぞれのグラフにおいて、Ｒは粒径が大きい又は多量のミストを噴出した際の時間変化を示し、Ｑは粒径が小さい又は少量のミストを噴出した際の時間変化を示している。
【０００６】
図２２に示すように、浴室空調装置による暖房運転を開始して、浴室内が所定の温度に達した後、ミストの噴出を開始する。ここで、粒径が大きい又は多量のミストを噴出した場合、粒径が小さい又は少量のミストを噴出した場合と比較して、図２２ＡのＳに示すように、ミストの蒸発により浴室内の熱が奪われることにより浴室内の温度が大きく低下してしまう問題がある。
【０００７】
また、粒径が小さい又は少量のミストを噴出した場合、粒径が大きい又は多量のミストを噴出した場合と比較して、図２２Ｂに示すように、浴室内の湿度の上昇に時間がかかってしまう問題がある。
【０００８】
本発明は、このような問題を解決するためになされたもので、ミスト噴出時の浴室内の温度の低下を防ぎ、且つ、浴室内の湿度を早く上昇させることを可能とする湯水噴出空調システムを提供することを目的とする。
【課題を解決するための手段】
【０００９】
上述した課題を解決するため、本発明に係る湯水噴出空調システムは、所定の水分量のミストを室内に噴出する第１状態と、第１状態と比較して多くの水分量のミストを室内に噴出する第２状態とが切り換えられるミスト噴出手段、及びミスト噴出手段を制御するミスト噴出制御手段を有する湯水噴出装置と、浴室内に温風を送風する送風手段を有する空調装置とを備え、ミスト噴出手段によるミストの噴出と、送風手段による温風の送風とを連動して行うミストモードの開始時に、ミスト噴出手段によるミストの噴出の前に、送風手段によって温風を室内に吹き出し、室内の温度を上昇させた後、送風手段によって温風を室内に吹き出すと共に、ミスト噴出制御手段は、温水が所定温度であると、ミスト噴出手段により第１状態で室内の温度低下を防ぐような所定の水分量のミストを噴出して室内を所定の温度にした後、ミスト噴出手段により第２状態で第１状態と比較して多くの水分量のミストを噴出することを特徴とするものである。
【００１０】
本発明に掛かる湯水噴出空調システムでは、ミスト噴出手段により室内へミストが噴出される。ミスト噴出手段はミスト噴出制御手段により制御される。また、本発明に係る湯水噴出空調システムでは、空調装置の送風手段により室内へ温風が送風される。更に、本発明に係る湯水噴出空調システムでは、ミスト噴出手段によるミストの噴出と、送風手段による温風の送風とが連動して行われるミストモードが実行される。
【００１１】
ミストモードの実行時において、まず、送風手段によって温風を室内に吹き出し、室内の温度を上昇させた後、ミスト噴出手段は第１状態で所定の水分量のミストを室内へ噴出する。所定の水分量のミストの噴出により室内が所定の温度になった後、第１状態と比較して多くの水分量のミストを、ミスト噴出手段は第２状態で室内に噴出する。
【発明の効果】
【００１２】
本発明の湯水噴出空調システムによれば、ミストモードの開始時に、所定の水分量のミストの噴出が行われる。これにより、最初から多くの水分量のミストの噴出を行う場合と比較して室内における水分の蒸発量が少なくなり、ミスト噴出時の浴室内の温度の低下を防ぐことが可能となる。
【００１３】
また、本発明の湯水噴出空調システムによれば、ミストモードの開始時に、所定の水分量のミストの噴出が行われて室内を所定の温度とした後、より多くの水分量のミストの噴出が行われる。これにより、所定の水分量のミストを噴出する場合と比較して、室内の湿度を早く上昇させることが可能となる。
【発明を実施するための最良の形態】
【００１４】
以下、図面を参照しながら、本発明の湯水噴出空調システムの実施例としての浴室空調システムについて説明する。図１は、本発明の実施例としての浴室空調システム１の構成例を示す断面の概念図である。
【００１５】
＜浴室空調システムの全体＞
図１は本実施の形態の浴室空調システム１の一例を示す構成図である。本実施の形態の浴室空調システム１は、温水を霧状のミストにして浴室１０１内に噴出するミスト発生装置２と、浴室１０１の暖房や換気等を行う浴室空調装置３を備える。
【００１６】
浴室空調システム１は、ミスト発生装置２に対する温水ＨＷの供給元として、例えば自然冷媒（ＣＯ2）を利用したヒートポンプ方式の給湯装置４と組み合わせて使用される。
【００１７】
ミスト発生装置２は、ミスト生成する電磁弁ユニット２Ｄと、給湯装置４から供給される温水（水）を、電磁弁ユニット２Ｄに供給するか排水するかを切り替える電源部ユニット２Ｂを備える。ここで、ミストとは、霧や靄、さらにはシャワー等の状態を含むものである。
【００１８】
浴室空調システム１は、浴室１０１に設置されたミスト操作部（ミストリモコン）７と、浴室１０１に隣接した洗面脱衣所１０２に設置された主操作部（空調リモコン）６が操作されることで、ミスト発生装置２と浴室空調装置３で実行される運転モードが選択される。
【００１９】
ミスト操作部７では、主に暖房に関する運転モードについての操作が行われ、入浴中等に暖房に関する操作が可能である。また、主操作部６では、暖房を含めた全般の運転モードについての操作が行われ、浴室１０１に入室することなく、暖房、換気や乾燥等に関する操作が可能である。
【００２０】
浴室空調システム１は、ミスト発生装置２に備えたミスト制御部２Ｂｃと、浴室空調装置３に備えた主制御部５Ａに制御される。ミスト制御部２Ｂｃは、ミスト発生装置２の電源部ユニット２Ｂに備えられ、ミストＭの噴出の有無を切り替える制御等を行う。また、主制御部５Ａは、浴室空調装置３を駆動して、浴室１０１から空気Ａを吸い込み、温風ＨＡあるいは送風として吹き出す制御、及び浴室１０１から吸い込んだ空気Ａを屋外へ排気する制御等を行う。
【００２１】
そして、浴室空調システム１は、ミスト操作部７あるいは主操作部６が操作されることで選択された運転モードに応じて、ミスト制御部２Ｂｃと主制御部５Ａとの間で通信が行われ、浴室空調装置３単独あるいはミスト発生装置２と浴室空調装置３を連動させた制御が実行される。
【００２２】
ミスト操作部７あるいは主操作部６が操作されることで選択され、浴室空調システム１で実行される運転モードとして、例えば、ミスト発生装置２によるミストＭの噴出と、浴室空調装置３による温風ＨＡの吹き出しを連動させて、浴室１０１内を中温高湿のミストサウナ状態とするミストモードを備える。
【００２３】
ミストモードでは、浴室空調装置３により温風ＨＡを吹き出して浴室１０１内の温度を上昇させてから、ミスト発生装置２で所定の温度に達したミストＭの噴出を行うことで、入浴者（利用者）に冷感を与えないようにする。
【００２４】
そして、ミストモードでは、浴室１０１内の温度及びミストＭとして噴出させる温水ＨＷの温度を検出し、浴室１０１内の状態が入浴に適した状態となったか否かを判断して、ミスト操作部７及び主操作部６より入浴者等に報知する。
【００２５】
＜第１のミスト発生装置の構成例及び動作例＞
まず、第１のミスト発生装置２Ａの構成例について説明する。図２は第１のミスト発生装置２Ａの構成を示す説明図である。図２（ａ）は電磁弁ユニット２Ｄを二つ備えたミスト発生装置２Ａ１を示し、図２（ｂ）は電磁弁ユニット２Ｄを一つ備えたミスト発生装置２Ａ２を示す。
【００２６】
図２（ａ）に示すようにミスト発生装置２Ａ１は２組の後述するノズルユニット２Ｃ（２Ｃ１・２Ｃ２）、及び２組の後述する電磁弁ユニット２Ｄ（２Ｄ１・２Ｄ２）を備えて構成される。ノズルユニット２Ｃ１は通常の粒径のミスト（通常ミスト）を噴出し、ノズルユニット２Ｃ２は通常ミストより粒径の小さいミスト（微細ミスト）を噴出する。ノズルユニット２Ｃ１は電磁弁ユニット２Ｄ１と接続され、ノズルユニット２Ｃ２は電磁弁ユニット２Ｄ２と接続された状態となる。
【００２７】
図３はミスト発生装置２Ａを構成するノズルユニット２Ｃの一例を示す構成図で、図３（ａ）はノズルユニット２Ｃを下側から見た平面図、図３（ｂ）は図３（ａ）に示すノズルユニット２ＣのＡ−Ａ断面図、図３（ｃ）は図３（ａ）に示すノズルユニット２ＣのＢ−Ｂ断面図である。
【００２８】
ノズルユニット２Ｃは湯水噴出装置の一例で、ミストを生成する複数のミストノズル１１が、各ミストノズル１１に温水（水）を供給する供給配管１２を介して本体部１３の内部に取り付けられる。
【００２９】
各ミストノズル１１は、１本の供給配管１２に接続されて、一列に並べて配置される。本例では、３個のミストノズル１１を所定の間隔を開けて配置して、各ミストノズル１１が供給配管１２と接続され、供給配管１２に温水が供給されると、各ミストノズル１１に温水が分配されて、各ミストノズル１１からミストが噴出する。
【００３０】
ノズルユニット２Ｃは、図１に示す浴室１０１の天井パネルに形成された開口に本体部１３が挿入され、本体部１３の下部開口を覆うフロントパネル１４が取り付けられて、浴室１０１の天井パネルに設置される。
【００３１】
フロントパネル１４は、ミストノズル１１の配置に合わせて穴部１４ａが形成され、穴部１４ａからミストノズル１１が露出している。
【００３２】
図４はミスト発生装置２Ａを構成する電磁弁ユニット２Ｄの一例を示す構成図である。電磁弁ユニット２Ｄは、図１に示す給湯装置４からの給水配管２ａが接続される給湯配管接続部２ａ’と、ノズルユニット２Ｄへの配管２ｂが接続される供給配管接続部２ｂ’と、ドレン配管２ｃが接続されるドレン配管接続部２ｃ’を備える。
【００３３】
電磁弁ユニット２Ｄは、給湯配管接続部１６ａと供給配管接続部１６ｂとの間が供給配管２ｊで接続され、給湯装置４とノズルユニット２Ｃとの間を接続している。また、電磁弁ユニット２Ｄは、供給配管２ｊから分岐した排水配管２ｋがドレン配管接続部２ｃ’と接続され、給湯装置４とドレン配管２ｃとの間を接続している。
【００３４】
電磁弁ユニット２Ｄは、排水配管２ｋとの分岐部より上流側の供給配管２ｊに、給湯の有無を切り替える給湯用電磁弁２ｄを備えると共に、分岐部より下流側の供給配管２ｊに、温水または水の供給先を電磁弁ユニット２Ｄに切り替えるミスト用電磁弁２ｅを備える。
【００３５】
更に、電磁弁ユニット２Ｄは、温水または水の供給先をドレン配管２ｃに切り替える排水用電磁弁２ｆを、排水配管２ｋに備える。
【００３６】
また、電磁弁ユニット２Ｄは、給湯用電磁弁２ｄと分岐部との間の供給配管２ｊに、供給配管２ｊを流れる温水または水の温度を検出する水温検出センサ２ｈを備える。
【００３７】
ここで、供給配管２ｊに設ける給湯用電磁弁２ｄ及びミスト用電磁弁２ｅの設置高さより、排水配管２ｋに設ける排水用電磁弁２ｆの設置高さが低くなるように、供給配管２ｊと排水配管２ｋの流路を構成することで、流路中に残水が滞留しないようにしている。
【００３８】
図５及び図６は電磁弁ユニット２Ｄの動作説明図である。ミスト噴出時は、図５（ａ）に示すように、給湯用電磁弁２ｄとミスト用電磁弁２ｅは開き、排水用電磁弁２ｆは閉じる。これにより、図１に示す給湯装置４から供給された温水ＨＷが、供給配管２ｊを流れて電磁弁ユニット２Ｄに供給され、電磁弁ユニット２ＤでミストＭが噴出される。
【００３９】
排水時は、図５（ｂ）に示すように、給湯用電磁弁２ｄと排水用電磁弁２ｆは開き、ミスト用電磁弁２ｅは閉じる。これにより、給湯装置４から供給された温水ＨＷが、供給配管２ｊ及び排水配管２ｋを流れてドレン配管２ｃから排水（ＥＷ）される。
【００４０】
排水の停止時は、まず、図６（ａ）に示すように、排水用電磁弁２ｆは開けた状態で、給湯用電磁弁２ｄを閉じた後、ミスト用電磁弁２ｅを開ける。これにより、供給配管２ｊの電磁弁ユニット２Ｄと接続された側が大気に開放された状態となるので、供給配管２ｊ内の残水ＲＷが排水配管２ｋへと流れてドレン配管２ｃから排水される。
【００４１】
そして、残水ＲＷの排水に要する時間に応じて設定された所定時間経過後、図６（ｂ）に示すように、給湯用電磁弁２ｄ、ミスト用電磁弁２ｅ及び排水用電磁弁２ｆの全てを閉じることで、給湯用電磁弁２ｄより下流側の流路に残水を滞留させない状態とすることができる。
【００４２】
ミスト発生装置２Ａ１においては、ミスト噴出ユニット２Ｃ１と２Ｃ２は、それぞれ互いに粒径の異なるミストを噴出するノズル１１を備えて構成される。図２（ａ）に示すように、ミスト噴出ユニット２Ｃ１及び２Ｃ２は、それぞれ別体の電磁弁ユニット２Ｄ１及び２Ｄ２に接続されて、水又は湯水の供給を受ける。
【００４３】
このためミスト発生装置２Ａ１においては、電磁弁ユニット２Ｄ１及び２Ｄ２をそれぞれ制御することにより、ミスト噴出ユニット２Ｃ１による通常ミストの噴出と、ミスト噴出ユニット２Ｃ２による微細ミストの噴出を、それぞれ独立して行うことが可能となる。
【００４４】
また、ミスト発生装置２Ａ２は、２組の後述するノズルユニット２Ｃ（２Ｃ１・２Ｃ２）、及び電磁弁ユニット２Ｄ３を備えて構成される。ノズルユニット２Ｃ１は通常ミストを噴出し、ノズルユニット２Ｃ２は微細ミストを噴出する。ノズルユニット２Ｃ１は電磁弁ユニット２Ｄ３のミスト用電磁弁２ｅ１と接続され、ノズルユニット２Ｃ２は電磁弁ユニット２Ｄ３のミスト用電磁弁２ｅ２と接続された状態となる。電磁弁ユニット２Ｄ３の構成及び動作は、図４から図６を用いて説明したとおりである。
【００４５】
ミスト発生装置２Ａ２においては、ミスト噴出ユニット２Ｃ１と２Ｃ２は、それぞれ互いに粒径の異なるミストを噴出するノズル１１を備えて構成される。図２（ｂ）に示すように、ミスト噴出ユニット２Ｃ１及び２Ｃ２は、それぞれ別々のミスト用電磁弁２ｅ１及び２ｅ２に接続されて、水又は湯水の供給を受ける。
【００４６】
このためミスト発生装置２Ａ２においては、ミスト用電磁弁２ｅ１及び２ｅ２をそれぞれ制御することにより、ミスト噴出ユニット２Ｃ１による通常ミストの噴出と、ミスト噴出ユニット２Ｃ２による微細ミストの噴出を、それぞれ独立して行うことが可能となる。
【００４７】
＜第２のミスト発生装置の構成例及び動作例＞
次に、第２のミスト発生装置２Ｅの構成例について説明する。図７は第２のミスト発生装置２Ｅの構成を示す説明図である。図２に示すようにミスト発生装置２Ｅは２組の電磁弁ユニット２Ｄ、及びノズルユニット２Ｇを備えて構成される。ノズルユニット２Ｇはノズル２Ｐにより、通常の粒径のミスト（通常ミスト）を噴出し、ノズル２ｏ及び図示しないプロペラファンにより通常ミストより粒径の小さいミスト（微細ミスト）を噴出する。ノズルユニット２Ｃ１はノズル２Ｐと接続され、ノズルユニット２Ｃ２はノズル２ｏと接続された状態となる。
【００４８】
図８及び図９は、第２のミスト発生装置２Ｅを構成するノズルユニット２Ｇの構成例を示す説明図である。図８Ａはノズルユニット２Ｇを下面側から見た平面図、図８Ｂは図８ＡのＣ−Ｃ線断面図である。また、図９Ａは図８ＡのＤ−Ｄ線断面図、図９Ｂは図８ＡのＥ−Ｅ線断面図である。
【００４９】
ノズルユニット２Ｇは湯水噴出手段の一例で、ミストを生成するノズル２ｏと、ノズル２Ｐを備える。またノズルユニット２Ｇは、ノズル２ｏで生成したミストを細霧化して吹き出す軸流ファン部２ｐと、軸流ファン部２ｐにより細霧化されたミストの噴出を行うための風路を形成する本体ケース２ｑを備える。
【００５０】
軸流ファン部２ｐは拡散手段の一例で、ファンモータ２ｒと、ファンモータ２ｒに回転駆動されるプロペラファン２ｓを備える。ファンモータ２ｒは駆動手段の一例で、軸２ｒａが縦向きに配置される。
【００５１】
プロペラファン２ｓは羽根車の一例で、複数枚の羽根２ｓａが所定の取り付け角で取り付けられる。軸流ファン部２ｐは、プロペラファン２ｓがファンモータ２ｒの軸２ｒａに取り付けられ、プロペラファン２ｓがファンモータ２ｒによって回転駆動されることで、ミストを含む空気がプロペラファン２ｓに対して軸方向から流入し、軸方向へ流出する。
【００５２】
ノズル２ｏは、接続部２Ｎを介して、電磁弁ユニット２Ｄ２に接続されたノズル配管２ｂ２に接続され、温水または水等の供給を受け、霧状にして噴出する。ノズル２ｏは、プロペラファン２ｓの羽根２ｓａに向けてミストを噴出する。
【００５３】
ノズル２ｏは、本実施の形態では例えばプロペラファン２ｓの羽根２ｓａの枚数と同じ個数が、プロペラファン２ｓの羽根２ｓａの回転軌跡に沿って等間隔で配置される。これにより、ノズル２ｏは、プロペラファン２ｓの各羽根２ｓａの間隔と同間隔で円周上に並んで配置される。
【００５４】
本体ケース２ｑは、例えば直方体形状の外形を有して構成される。本体ケース２ｑは、第１の吹出風路２ｕを備えると共に、第２の吹出風路２ｖと吸込風路２ｚを備える。
【００５５】
本体ケース２ｑは、第１の吹出風路２ｕに軸流ファン部２ｐが取り付けられる。すなわち、本体ケース２ｑは、第１の吹出風路２ｕの天井部分の上面に軸流ファン部２ｐのファンモータ２ｒが取り付けられる。ファンモータ２ｒの軸２ｒａは、第１の吹出風路２ｕの天井部分を貫通して垂直方向に突出し、軸２ｒａにプロペラファン２ｓが取り付けられる。プロペラファン２ｓは、第１の吹出風路２ｕ内で回転自在な構成である。
【００５６】
また、本体ケース２ｑは、第１の吹出風路２ｕの天井部分の下面で、ファンモータ２ｒの軸２ｒａの周囲にノズル取付け部２ｗを備え、ノズル取付け部２ｗに上述した所定の配置でノズル２ｏが取り付けられる。
【００５７】
各吸込風路２ｚと第１の吹出風路２ｕは、風路形成壁部２ｔに形成された吸込風路連絡口２ｙを介して連通する。吸込風路連絡口２ｙは、プロペラファン２ｓの取付け位置より高い風路形成壁部２ｔの上部を貫通して形成される。
【００５８】
また、第１の吹出風路２ｕと第２の吹出風路２ｖは、風路形成壁部２ｔに形成された吹出風路連絡口２Ｋを介して連通する。吹出風路連絡口２Ｋは、プロペラファン２ｓの取付け位置と同等の高さ付近の風路形成壁部２ｔを貫通して形成され、網状板部２Ｋａが取り付けられる。網状板部２Ｋａは、例えば目の細かい金網で構成され、吹出風路連絡口２Ｋを通るミストを細霧化する。
【００５９】
本体ケース２ｑは、第１の吹出風路２ｕの下部が開口した第１の吹出口２ｕａと、各第２の吹出風路２ｖの下部が開口した第２の吹出口２ｖａが形成される。更に、各吸込風路２ｚの下部が開口して吸込口２ｚａが形成される。
【００６０】
これにより、各吸込口２ｚａ、各吸込風路２ｚ、吸込風路連絡口２ｙを介して第１の吹出風路２ｕと繋がり第１の吹出口２ｕａへ至る風路が形成される。また、第１の吹出風路２ｕから吹出風路連絡口２Ｋを介して第２の吹出風路２ｖと繋がり、第２の吹出口２ｖａへ至る風路が形成される。
【００６１】
本体ケース２ｑは、風路形成壁部２ｔの下部にドレン部材であるドレンパン２Ｌを備え、風路形成壁部２ｔの内周面及び外周面を伝わって落ちる水滴を受ける。ドレンパン２Ｌは、円周方向の１箇所にドレンホース口２Ｌａを備え、風路形成壁部２ｔから受けた水をドレンホース口２Ｌａから排水できる構成である。
【００６２】
本体ケース２ｑは、下部にフック部２ｑａ等により着脱自在なフロントパネル２Ｍを備える。フロントパネル２Ｍは、第１の吹出口２ｕａ及び第２の吹出口２ｖａと連通し、細霧化されたミストを吹き出す吹出グリル２Ｍａと吸込グリル２Ｍｂを備える。
【００６３】
上述した構成を備えることにより、以下のような動作により、ノズルユニット２Ｇより通常よりも粒径の小さいミスト（微細ミスト）及び通常ミストの噴出が行われる。ここで電磁弁ユニット２Ｄ１・２Ｄ２の動作は、図５及び図６で示したものと同様である。
【００６４】
まず、微細ミストの噴出について説明する。ファンモータ２ｒにより、プロペラファン２ｓが所定の回転数で、図８Ｂ及び図９Ａの矢印ａで示す方向に回転駆動される。これにより、ノズルユニット２Ｇ内の図８Ｂ及び図９Ａの２点鎖線矢印に示す方向に、空気の流れが形成される。
【００６５】
プロペラファン２ｓの回転駆動後、接続部２Ｎに接続された電磁弁ユニット２Ｄより水又は湯水の供給が行われ、ノズル２ｏより通常の粒径のミストがプロペラファン２ｓに対して噴出される。ノズル２ｏより噴出されたミストは、プロペラファン２ｓの羽根２ｓａに衝突して拡散され、水滴径が更に細かくなって細霧化される。
【００６６】
プロペラファン２ｓの羽根２ｓａに衝突して細霧化されたミスト（微細ミスト）は、プロペラファン２ｓが回転することによって発生した空気の流れにより、プロペラファン２ｓの軸方向に形成された第１の吹出口２ｕａから、フロントパネル２Ｍの２Ｍａを介して浴室１０１内に吹出される。
【００６７】
プロペラファン２ｓの羽根２ｓａに衝突したミストの一部は、プロペラファン２ｓの放射方向に拡散する。放射方向に拡散したミストは、プロペラファン２ｓの取付け位置に合わせて風路形成壁部２ｔの外周の一部に形成された吹出風路連絡口２Ｋから第２の吹出風路２ｖに入る。吹出風路連絡口２Ｋは、目の細かい金網で構成された網状板部２Ｋａを備えているので、吹出風路連絡口２Ｋの網状板部２Ｋａを通るミストは、水滴径が更に細かくなって細霧化される。そして、吹出風路連絡口２Ｋの網状板部２Ｋａを通って細霧化されたミスト（微細ミスト）は、第２の吹出口２ｖａからフロントパネル２Ｍの吹出グリル２Ｍａを介して浴室１０１内に吹き出される。
【００６８】
次に、通常ミストの噴出について説明する。ノズルユニット２Ｇでは、ノズル２Ｐが第２の吹出口２ｖａに備えられる。ノズル２Ｐは管路２Ｐａを通じて本体ケース２ｑ上部に備えられた接続部２Ｏに接続される。接続部２Ｏは、前述した電磁弁ユニット２Ｄに接続されたノズル配管２ｂに接続される。これにより、ノズル２Ｐは温水または水等の供給を受けて霧状にして、通常の粒径のミスト（通常ミスト）を浴室１０１内に噴出する。
【００６９】
上述ように、ノズルユニット２Ｇでは、ノズル２ｏより噴出されたミストはプロペラファン２ｓに衝突することにより細霧化され、粒径の小さい微細ミストとして浴室１０１内に噴出される。また、ノズル２Ｐより噴出されたミストは、そのまま通常の粒径の通常ミストとして浴室１０１内に噴出される。ノズル２ｏ及びノズル２Ｐに対しては、図７に示すように、それぞれ別体の電磁ユニット２Ｄ１・２Ｄ２が接続されて、水又は湯水の供給が行われる。
【００７０】
このため本発明の浴室空調システム１では、後述するように、電磁弁ユニット２Ｄ１・２Ｄ２をそれぞれ制御することにより、ノズル２Ｐによる通常ミストの噴出と、ノズル２ｐによる微細ミストの噴出を、それぞれ独立して行うことが可能となる。
【００７１】
＜浴室空調装置＞
図１０及び図１１は、浴室空調装置３の構成例を示す図である。図１０Ａは浴室空調装置３の構成を示す断面図であり、図１０Ｂは図１０Ａのａ−ａ断面図であり、図１１は浴室空調装置１の分解斜視図である。
【００７２】
図１０に示す浴室空調装置３は、送風手段の一例であるファン部３２と、加熱手段一例である熱源としてのヒータ部３３とを備えている。ファン部３２は、本体ケース３４に取り付けられている。ファン部３２は、回転駆動される多翼のファン３５と、このファン３５を回転駆動するファンモータ３６と、このファンモータ３６が取り付けられると共に、風路を形成するファンケース３７とを備えている。
【００７３】
ファン３５は縦向きに配置されている。ファンケース３７のファン３５の軸方向に沿った下面が開口し、吸込口３８とされている。吸込口３８には、浴室１０１の温度を検出する温度検出センサ６９及び湿度センサ６９ａが取り付けられる。温度検出センサ６９にはサーミスタが使用される。また、ファンケース３７のファン３５の軸方向とは直交する方向に沿った一の側面が開口し、この開口部に風路切換部３９が備えられている。
【００７４】
風路切換部３９は風路を切換えるダンパ４０を備える。ダンパ４０は後述するダンパモータ４０ｃの駆動力がカム４０ａを介して伝達され、軸４０ｂを支点に回転して開閉動作を行う。ファンケース３７は、風路切換部３９と連通して下面に吹出口４１を備えると共に、風路切換部３９と連通して一の側面に排気口４２を備えている。この場合、ダンパ４０の位置によって、吸込口３８から吹出口４１へ連通した風路、あるいは吸込口３８から排気口４２へ連通した風路が形成される。
【００７５】
上述の吹出口４１の所定の位置には、排出する空気を加熱するヒータ部３３が取り付けられる。ヒータ部３３には、電気ヒータが使用される。吹出口４１から浴室内へ温風を送風することで、ミストの温度低下を防止して、浴室内を暖房する。
【００７６】
また図１０に示すように、送風方向切換手段の一例であるルーバ４４が、吹出口４１にて、上述したヒータ部３３の下部に備えられる。ルーバ４４は、例えば次に示すような構成となる。図１０Ｂに示すように、ルーバモータ４４ａ（４４ｂ）、アームＡ４４ｃ、アームＢ４４ｄ、複数の羽根４４ｅ及び羽根軸４４ｆを備えた組を、二組備えてルーバ４４は構成される。
【００７７】
それぞれのルーバモータ４４ａ（４４ｂ）は、吹出口４１の縁部近傍にて本体ケース３４に固定されている。また各羽根軸４４ｆは、吹出口４１の各ルーバモータ４４ａ（４４ｂ）の内側に位置するように、本体ケース３４に所定の間隔で固定されている。
【００７８】
各羽根４４ｅは各羽根軸４４ｆに回転自在に取り付けられている。また各羽根４４ｅは上端部にて、アームＡ４４ｃに所定の間隔で回転自在に取り付けられている。アームＡ４４ｃは、吹出口４１の縁部側に位置する端部にてアームＢ４４ｄに回転自在に取り付けられている。アームＢ４４ｄは、本体ケース３４に固定されたルーバモータ４４ａ（４４ｂ）に取り付けられている。
【００７９】
このような構成により、ルーバモータ４４ａ（４４ｂ）の駆動により、アームＢ４４ｄ及びアームＡ４４ｃが回転し、アームＡ４４ｃに取り付けられた各羽根４４ｅが回転する。またアームＡ４４ｃに取り付けられた各羽根４４ｅは、全て同じ角度に回転し、この回転角度はルーバモータ４４ａ（４４ｂ）の駆動により制御が可能となる。このようにルーバ４４の各羽根４４ｅの回転角度を制御することにより、吹出口４１から吹出される吹出風４７の送風方向を制御することが可能となる。
【００８０】
図１１は浴室空調装置３の分解例を示す斜視図である。図１１に示す浴室空調装置３は、本体ケース３４からフロントパネル２Ｍが取外し（分解）可能な構造となされている。
【００８１】
この例で、温度検出センサ６９は、本体ケース３４の吸込口３８に対応した部分に取り付けられ、浴室１０１の温度を検出する。図１０において、本体ケース３４は、下面が開口し、吸込口３８と吹出口４１が露出した状態となる。この本体ケース３４の下面開口部に、フロントパネル２Ｍが取り付けられる。フロントパネル２Ｍは、本体ケース３４に着脱可能なように構成されている。
【００８２】
このフロントパネル２Ｍは、ファン部３２の吸込口３８と対向して吸込グリル４５を備えると共に、ファン部３２の吹出口４１と対向して吹出グリル４６を備える。また、フロントパネル２Ｍの吸込グリル４５の裏側に、図１１に示したフィルタ２９が交換可能に取り付けられる。例えば、フロントパネル２Ｍの側面には、フィルタ着脱用の挿入口２８が開口され、この挿入口２８に二点鎖線に示すフィルタ２９が取り付けられる。本体ケース３４は、ファン部３２の排気口４２と連通する排気ダクト接続部４８を一の側面に備える。
【００８３】
図１２Ａ〜Ｃは、浴室空調装置３の動作例を示す図である。図１２Ａは、ダンパ４０を全閉にした状態例を示す断面図である。この例では、浴室空調装置３のダンパ４０を全閉にすると、排気口４２への風路が遮断され、吸込口３８から吹出口４１へ連通した循環風路４３ａが形成される。このため、ダンパ４０が全閉となる位置をダンパ４０の循環位置と称する。
【００８４】
また、図１２Ａに示すように、ダンパ４０の位置を循環位置にし、ファンモータ３６によりファン３５を回転駆動すると、空気が吸込口３８から吸い込まれ、循環風路４３ａを通り吹出口４１から吹き出す。ファンモータ３６は、主制御部５Ａから供給される駆動電圧Ｖ３６により駆動される。このとき、ヒータ部３３に通電すると、ヒータ部３３が加熱することで吹出口４１を通る空気が温められ、温風が吹出口４１から吹き出す。ここで、ヒータ部３３としては例えばＰＴＣヒータを使用できる。
【００８５】
図１２Ｂは、ダンパ４０を全開にした状態例を示す断面図である。図１２Ｂに示す浴室空調装置３によれば、そのダンパ４０を全開にすると、吹出口４１への風路が遮断され、吸込口３８から排気口４２へ連通した換気風路４３ｂが形成される。このため、ダンパ４０が全開となる位置をダンパ４０の換気位置と称する。
【００８６】
図１２Ｃは、ダンパ４０を循環位置と換気位置の中間位置にした状態例を示す断面図である。図１２Ｃに示す浴室空調装置３によれば、そのダンパ４０を循環位置と換気位置の中間位置にすると、吸気口３８から吹出口４１へ連通した循環風路４３ａと、吸気口３８から排気口４２へ連通した換気風路４３ｂの双方が形成される。この中間位置を循環換気位置と称する。
【００８７】
続いて、浴室空調装置３の動作例について説明をする。この浴室空調装置３では、例えば、ファンモータ３６が回転駆動されると、ファン部３２のファン３５が回転する。ファン３５が回転すると、フロントパネル２Ｍの吸込グリル４５を介して、ファン部３２の吸込口３８から浴室１０１の空気が吸い込まれる。
【００８８】
ダンパ４０の位置が図１２Ａに示す循環位置にあると、ファン部３２において吸込口３８から吹出口４１への循環風路４３ａが形成されるので、吸込口３８から吸い込まれた空気は、循環風路４３ａを通り吹出口４１からフロントパネル２Ｍの吹出グリル４６を介して浴室１０１内に吹き出される。
【００８９】
ヒータ部３３は循環風路４３ａの吹出口４１に配置されるので、ヒータ部３３が駆動されることで、循環風路４３ａを通る空気は、このヒータ部３３で温められて吹出グリル４６から吹き出す。これにより、ダンパ４０を循環位置として、ファンモータ３６が回転駆動されると、ヒータ部３３を駆動した場合は、浴室１０１内の空気を循環させながら、浴室１０１内に温風を吹き出させることができる。
【００９０】
ダンパ４０の位置が図１１Ｂに示す換気位置にあると、ファン部３２において吸込口３８から排気口４２への換気風路４３ｂが形成されるので、吸込口３８から吸い込まれた空気は、換気風路４３ｂ及び排気口４２を通り、さらに、図１に示した排気ダクト８を通って排気グリル８ａから屋外へ排気される。これにより、ダンパ４０を換気位置として、ファンモータ３６が回転駆動されると、浴室１０１内の湯気や湿気が排気される。
【００９１】
ダンパ４０の位置が図１２Ｃに示す循環換気位置にあると、ファン部３２において吸込口３８から吹出口４１への循環風路４３ａ及び吸込口３８から排気口４２への換気風路４３ｂの双方が形成されるので、吸込口３８から吸い込まれた空気は、一部は循環風路４３ａを通り吹出口４１からフロントパネル２Ｍの吹出グリル４６を介して浴室１０１内に吹き出され、その他は換気風路４３ｂ及び排気口４２を通り、排気ダクトを通って排気グリルから屋外へ排気される。
【００９２】
これにより、ダンパ４０を循環換気位置として、ファンモータ３６が回転駆動されると、ヒータ部３３が非駆動の場合は、浴室１０１内の空気を循環させながら、浴室１０１内の湯気や湿気が排気される。また、ヒータ部３３を駆動した場合は、浴室１０１内の空気を循環させてこの浴室１０１内に温風を吹き出しながら、浴室１０１内の湯気や湿気が排気される。浴室空調装置３は電気式のみでなく、温水式であってもよい。
【００９３】
＜ヒートポンプ式の浴室空調システム１＞
図１３は、ヒートポンプ式の給湯装置４の構成例を示すブロック図である。図１３に示す給湯装置４は、図１に示したミスト発生装置２、浴室１０１、洗面脱衣所１０２、台所１０３等に温水Ｉを供給するものである。
【００９４】
給湯装置４は、ヒートポンプユニット５３及び貯湯タンクユニット５４を有して構成される。ヒートポンプユニット５３は、大気と冷媒ガスとの間の熱交換及び冷媒ガスと水との間の熱交換で温水Ｉを生成する。貯湯タンクユニット５４は、ヒートポンプユニット５３で生成された温水Ｉを貯水する。例えば、貯湯タンクユニット５４は、３００乃至５００リットルの蓄湯容量を有している。
【００９５】
ヒートポンプユニット５３は、空気熱交換器５５及び水熱交換器５６を有して構成される。空気熱交換器５５は、大気と冷媒ガスとの間で熱交換を行って、冷媒ガスの温度を上昇させるものである。水熱交換器５６は、冷媒ガスと水との間で熱交換を行って、水の温度を上昇させるものである。
【００９６】
ヒートポンプユニット５３には、ファン５５ａ及び冷媒配管５７が設けられる。ファン５５ａは、空気熱交換器５５に大気を供給するように使用される。冷媒配管５７は、空気熱交換器５５と水熱交換器５６との間に接続され、空気熱交換器５５と水熱交換器５６との間で冷媒ガスを循環するように使用される。
【００９７】
また、ヒートポンプユニット５３には、ファン５５ａ及び冷媒配管５７の他に圧縮機５８が備えられる。圧縮機５８は、空気熱交換器５５と水熱交換器５６の間であって、空気熱交換器５５の下流側に配置され、空気熱交換器５５で熱交換されて冷媒配管５７を流れる冷媒ガスを圧縮して温度をさらに上昇させるように使用される。
【００９８】
また、ヒートポンプユニット５３には、空気熱交換器５５と水熱交換器５６の間であって、水熱交換器５６の下流側には膨張弁５９が備えられる。膨張弁５９は、水熱交換器５６で熱交換されて冷媒配管５７を流れる冷媒ガスを膨張させて温度を低下させるように使用される。
【００９９】
ヒートポンプユニット５３には貯湯タンクユニット５４が接続され、当該ヒートポンプユニット５３で生成された温水Ｉを貯水するタンク６０を備える。タンク６０は、下部側に水が供給されると共に、上部側に温水Ｉが供給されて、下部側に比べて上部側の温度が高くなる段層化した状態で温水Ｉを貯水する。
【０１００】
ヒートポンプユニット５３と貯湯タンクユニット５４とは、水熱交換器５６とタンク６０の間が温水配管６１ａ及び冷水配管６１ｂで接続されている。例えば、温水配管６１ａは、水熱交換器５６の流出側と、タンク６０の上部側に設けられる流入口６０ａとの間を接続する。また、冷水配管６１ｂは、水熱交換器５６の流入側と、タンク６０の下部側に設けられる流出口６０ｂの間を接続する。
【０１０１】
この冷水配管６１ｂにはポンプ６１ｃが取り付けられている。ポンプ６１ｃは、冷水配管６１ｂを介してタンク６０の流出口６０ｂから水を吸い込んで水熱交換器５６に供給し、水熱交換器５６を通過して生成された温水Ｉを、温水配管６１ａを介して流入口６０ａからタンク６０に供給する。
【０１０２】
また、タンク６０には取水配管６２と給水配管６３とがそれぞれ接続されている。取水配管６２は、タンク６０に貯水された温水Ｉを取水するために使用される。取水配管６２は、高温部取水配管６２ａと中温部取水配管６２ｂを備えている。高温部取水配管６２ａは、流入口６０ａと独立してタンク６０の上部に設けられる高温部取水口６０ｃと接続される。中温部取水配管６２ｂは、高温部取水口６０ｃより下側に設けられる中温部取水口６０ｄに接続される。
【０１０３】
取水配管６２は、高温部取水配管６２ａと中温部取水配管６２ｂの合流箇所に切換弁６２ｃを備え、タンク６０における取水元が、高温部取水口６０ｃか中温部取水口６０ｄに切換えられる。
【０１０４】
給水配管６３は、タンク６０に給水を行うために使用される。給水配管６３は、例えば、流出口６０ｂと独立してタンク６０の下部に設けられる給水口６０ｅと接続されると共に、タンク６０の手前で分岐した分岐給水配管６３ａを備える。
【０１０５】
さらに、貯湯タンクユニット５４は、取水配管６２から供給される温水Ｉと、分岐給水配管６３ａから供給される水を混合させる給湯混合弁６４を備える。給湯混合弁６４は、取水配管６２と分岐給水配管６３ａの合流箇所に備えられ、取水配管６２から供給される温水Ｉと、分岐給水配管６３ａから供給される水の混合比を切換えて、給湯配管６５から供給される温水Ｉの温度を調整する。常温の水を排出することもできる。
【０１０６】
給湯配管６５は、図１に示した浴室１０１の浴槽１０１ｂ、洗面脱衣所１０２の蛇口及び図示しない台所の蛇口等と接続され、温水Ｉ又は水を供給する。また、浴室１０１に接続される給湯配管６５には、ミスト給湯配管６５ａが接続される。ここに分岐されたミスト給湯配管６５ａには、ミスト発生装置２が接続される。
【０１０７】
次に、ヒートポンプ式の給湯装置４の動作例について説明する。給湯装置４では、まず、貯湯タンクユニット５４のタンク６０に、給水配管６３から水が供給される。タンク６０に供給された水は、冷水配管６１ｂによりヒートポンプユニット５３の水熱交換器５６に供給される。
【０１０８】
ヒートポンプユニット５３では、ファン５５ａにより空気熱交換器５５に大気が供給され、冷媒配管５７を流れる冷媒ガスとの間で熱交換が行われ、冷媒ガスの温度が上昇する。空気熱交換器５５で熱交換が行われた冷媒ガスは、圧縮機５８で圧縮されることで、温度がさらに上昇する。
【０１０９】
そして、圧縮機５８で圧縮されて温度を上昇させた冷媒ガスは、水熱交換器５６に供給される。これにより、水熱交換器５６においては、大気との熱交換及び圧縮により温度が上昇した冷媒ガスと、貯湯タンクユニット５４から供給された水との間で熱交換が行われ、温水Ｉが生成される。この水熱交換器５６で熱交換された冷媒ガスは、膨張弁５９で膨張されて温度が低下し、再度空気熱交換器５５に供給される。
【０１１０】
また、水熱交換器５６で熱交換されて生成された温水Ｉは、温水配管６１ａによりタンク６０に戻される。これにより、タンク６０は、上部側の温度が高く、下部側が温度の低い二層化した状態で温水Ｉと水が貯水される。タンク６０に貯水された温水Ｉは、取水配管６２により取水される。ここで、切換弁６２ｃにより、供給水の温度が高い場合は高温部取水配管６２ａから温水Ｉが取られ、供給水の温度が低い場合は中温部取水配管６２ｂから温水Ｉを取られる。
【０１１１】
取水配管６２により取水された温水Ｉは、分岐給水配管６３ｂから供給される水と給湯混合弁６４で混合される。給湯混合弁６４で温水Ｉと水の混合比を切換えることで、給湯配管６５から供給される温水Ｉの温度が調整される。もちろん、常温の水を給湯配管６５に送出することもできる。給湯配管６５から供給される温水Ｉ又は水は、浴室１０１、洗面脱衣所１０２及び台所１０３に分配される。これにより、給湯配管６５から分岐されたミスト給湯配管６５ａにより温水Ｉ又は水をミスト発生装置２に供給するようになされる。給湯装置４は自然冷媒を利用したヒートポンプ式でなくても、ヒートポンプ式でない通常の電気温水器であってもよく、ガスを熱源にした給湯装置でも他の熱源のものであってもよい。
【０１１２】
＜空調リモコン、ミストリモコン＞
図１４は、ミストリモコン（ミスト操作部）７の操作面の構成例を示す正面図である。ミストリモコン７は、ミスト発生装置２及び浴室空調装置３を操作するための各種操作ボタン等を備える。ミストリモコン７は操作ボタンとして、例えば、ミスト運転を実行するミストボタン７ｂ、ルーバ４４の角度を設定するルーバーボタン７ｃ、暖房運転モードを実行する暖房ボタン７ｄ、ミスト発生装置２及び浴室空調装置３を全停止させる停止ボタン７ｅを備える。また、ミストリモコン７はミスト発生装置２等の状態を表示するＬＥＤとして、例えば、ミストＬＥＤ７ｆ、暖房ＬＥＤ７ｇ及びエラーＬＥＤ７ｈを備える。ミスト運転実行時の各操作ボタン及びＬＥＤの動作の詳細については後述する。
【０１１３】
図１５は、空調リモコン（主操作部）６の操作面の構成例を示す正面図である。空調リモコン６は、表示部６ｂ及び、浴室空調装置３及びミスト発生装置２を操作するための各種操作ボタン等を備える。空調リモコン６は操作ボタンとして、例えば、乾燥運転モードを実行する乾燥モードボタン６ｃ、涼風運転モードを実行する涼風モードボタン６ｄ、暖房運転モードを実行する暖房モードボタン６ｅ、換気運転モードを実行する換気モードボタン６ｆ、ルーバ４４の角度を設定するルーバーボタン６ｏを備える。また、空調リモコン６は、操作ボタンとしてタイマの時間設定等を行うための変更ボタン６ｇ、及び停止ボタン６ｈを備える。
【０１１４】
更に空調リモコン６は、浴室空調装置３等の状態を表示するＬＥＤとして、例えば、乾燥モードＬＥＤ６ｉ、涼風モードＬＥＤ６ｊ、ミストＬＥＤ６ｋ、暖房モードＬＥＤ６ｌ、及び換気モードＬＥＤ６ｍを備える。ミスト運転実行時の各操作ボタン及びＬＥＤの詳細については後述する。
【０１１５】
＜浴室空調装置及びミスト発生装置の制御系＞
図１６は、浴室空調装置３及びミスト発生装置２の制御系の構成例を示すブロック図である。
【０１１６】
図１６に示す浴室空調装置３は、図１に示したミスト発生装置２によって水又は温水Ｉが噴出される浴室１０１内の温度を調整する。浴室空調装置３は、浴室１０１内の温度を検出して得られる温度検出情報に基づいて当該浴室１０１内の温度を制御するためのＣＰＵ(Central Processing Unit)を有する主制御部５Ａを備えている。主制御部５Ａは送風制御手段の一例である。上述した空調リモコン６は、通信ケーブル６ａを介して、この浴室空調装置３の主制御部５Ａに接続されている。この例で、空調リモコン６から主制御部５Ａには、通信ケーブル６ａを介して、操作信号Ｓ６が出力される。
【０１１７】
主制御部５Ａには温度検出センサ６９が接続される。温度検出センサ６９は、図１０又は図１１に示した吸込口３８に取り付けられ、浴室１０１内の温度を検出して得た温度検出信号Ｓ６９を主制御部５Ａへ出力さする。主制御部５Ａは、温度検知センサ６９から温度検出信号Ｓ６９を入力し、当該温度検出信号Ｓ６９をデジタル処理した温度検出情報と温度設定情報とを比較した結果に基づいて温度制御を実行する。
【０１１８】
例えば、主制御部５Ａは、浴室１０１内の上限温度と下限温度とが設定されると、ヒータ３３に駆動電圧Ｖ３３を出力して浴室１０１内の空気を加熱すると共に当該浴室１０１内の温度を温度検出センサ６９を通じて検出する。主制御部５Ａは、浴室１０１内の温度が上限温度に到達すると加熱処理を停止し、その後、浴室１０１内の温度を検出すると共に当該浴室１０１内の温度が下限温度に到達すると加熱処理を開始する。
【０１１９】
また、主制御部５Ａには湿度検出センサ６９ａが接続される。湿度検出センサ６９ａは、図１０又は図１１に示した吸込口３８に取り付けられ、浴室１０１内の湿度を検出して得た湿度検出信号Ｓ６９ａを主制御部５Ａへ出力する。
【０１２０】
更に、この主制御部５Ａには、浴室照明スイッチ６９Ｂから、このスイッチがオンされたか否かを示す信号Ｓ６９ｂが供給される。この主制御部５Ａから、ファンモータ３６、ダンパモータ４０ｃ、ヒータ部３３を動作させるための駆動電圧Ｖ３６、Ｖ４０ｃ、Ｖ３３、及び、ルーバ４４の動作を制御するための制御信号Ｓ４４が各々供給される。
【０１２１】
また、図１６に示すミスト発生装置２は、電源部ユニット２Ｂと、二つの電磁弁ユニット２Ｄ１、２Ａ２を備える。更に図１６に示すミスト発生装置２は、第１のミスト噴出装置２Ａを備える場合においては、二つのミスト噴出ユニット２Ｃ（２Ｃ１、２Ｃ２）を備える。第２のミスト噴出装置２Ｂを備える場合においては、ノズルユニット２Ｇを備える。
【０１２２】
ミスト噴出制御手段の一例である電源部ユニット２Ｂは、電源部２Ｂａと、電磁弁駆動部２Ｂｂと、ＣＰＵを有するミスト制御部２Ｂｃとを備えている。電源部２Ｂａは、家庭用交流電源、例えばＡＣ１００Ｖから、電磁弁を駆動するために使用する２４Ｖの直流電圧、ノズルユニット２のモータ７３や８４等を駆動するための直流電圧等を生成する。
【０１２３】
電源部２Ｂａには電磁弁駆動部２Ｂｂ及びミスト制御部２Ｂｃが接続され、ミスト制御部２Ｂｃによる制御の下、電源部２Ｂａで生成される２４Ｖの直流電圧を用いて、電磁弁ユニット２Ｄ１・２Ａ２をそれぞれ構成する電磁弁２ｄ１，２ｅ１，２ｆ１，２ｄ２，２ｅ２，２ｆ２を駆動する。この場合、各電磁弁２ｄ，２ｅ，２ｆは、それぞれ、ＤＣ２４［Ｖ］の駆動電圧Ｖ２ｄ，Ｖ２ｅ，Ｖ２ｆが印加されることでバルブが開状態となる。駆動電圧Ｖ２ｄ＝０［Ｖ］で電磁弁２ｄのバルブが閉状態となり、駆動電圧Ｖ２ｅ＝０［Ｖ］で電磁弁２ｅのバルブが閉状態となり、駆動電圧Ｖ２ｆ＝０［Ｖ］で電磁弁２ｆの各々のバルブが閉状態となる。
【０１２４】
ミスト制御部２Ｂｃには、上述したように、電磁弁ユニット２Ｄ１・２Ａ２にそれぞれ取り付けられた温度検出センサ２ｈ１・２ｈ２が接続される。この例で、温度検出センサ２ｈからミスト制御部２Ｂｃには温度検出信号Ｓ２ｈが出力される。上述したミストリモコン７は、通信ケーブル７ａを介して、この電源部ユニット２Ｂのミスト制御部２Ｂｃに接続されている。ミストリモコン７からミスト制御部２Ｂｃには通信ケーブル７ａを介して操作信号Ｓ７ａが出力される。このミスト制御部２Ｂｃは、電磁弁駆動部２Ｂｂの動作を制御する。
【０１２５】
また、浴室空調装置３の主制御部５Ａと電源部ユニット２Ｂのミスト制御部２Ｂｃとは互いに接続され、浴室空調装置３とミスト発生装置２との連係動作が可能となっている。例えば、主制御部５Ａからミスト制御部２Ｂｃへ通信制御信号Ｓ５ａを出力して、空調リモコン６で指定された内容に基づいてミスト運転を実行する。反対に、ミスト制御部２Ｂｃから主制御部５Ａへ通信制御信号Ｓ５ａを出力して、ミストリモコン７で指定された内容に基づいて空調運転を実行するようにしてもよい。
【０１２６】
また、ミスト制御部２Ｂｃは、ミスト噴出ユニット２Ｃ１・２Ｃ２又はノズルユニット２Ｇに接続され、ノズル１１の方向制御、又はファンモータ２ｒの制御等を行う。
【０１２７】
＜浴室空調システム１の動作例＞
次に、浴室空調システム１のミスト運転の動作例について説明する。ここでミスト運転はミストモードの一例である。浴室空調システム１がミスト運転を実行することにより、浴室空調装置３の吹出口４１より浴室１０１内へ温風が送風され、ミスト発生装置２のミスト噴出ユニット２Ｃより浴室１０１内に温水によるミストが噴出される。これにより、浴室１０１内にミストサウナ環境がつくられる。
【０１２８】
以下において、ミスト運転の開始について説明する。図１７から図２０は、ミスト発生装置２Ａ１又はミスト発生装置２Ｅを備える浴室空調システム１のミスト運転開始時の動作例を示すフローチャートである。図２１は、本発明の浴室空調システム１のミスト運転開始時の動作例を示す説明図である。図２１Ａはミスト運転開始時の温度の時間変化を示し、図２１Ｂは、ミスト運転開始時の湿度の時間変化を示している。図２１において、本発明の浴室空調システム１による時間変化をＦで示す。また、通常の粒径の通常ミストのみを噴出した場合の時間変化をＧで示し、微細ミストのみを噴出した場合の時間変化をＨで示す。
【０１２９】
浴室空調システム１においては、以下のようなフローでミスト運転が開始される。ミスト発生装置２及び浴室空調装置３が停止している状態において、使用者は、まずミストリモコン７のミストボタン７ｂ又は空調リモコン６の暖房モードボタン６ｅを押下する（図１７のステップＳＴ０１）。これにより、空調リモコン６のミストＬＥＤ６ｋ及びミストリモコン７のミストＬＥＤ７ｆが点滅する（ステップＳＴ０２）。
【０１３０】
その後、空調リモコン６の暖房モードＬＥＤ６ｌの「強」及びミストリモコン７の暖房モードＬＥＤ７ｇの「強」が点灯し、浴室空調装置３がヒータ部３３の出力を「強」にした状態で暖房運転を開始する（ステップＳＴ０３）。この時、図２１の時間変化のグラフにおいては、図２１ＡのＩ及び図２１ＢのＭで示す箇所である。暖房運転を開始することにより、図２１Ａに示すように浴室１０１内の温度は上昇し、図２１Ｂに示すように浴室１０１内の相対湿度は低下する。
【０１３１】
その後、ミストリモコン７より、ミスト発生装置２のミスト制御部２Ｂｃを介して浴室空調装置３の主制御部５Ａへ、「ミスト運転開始コマンド」を送信する（ステップ０４）。この「ミスト運転開始コマンド」を受け、浴室空調装置３の主制御部５Ａは、温度検出センサ６９により浴室内の温度を検出し、浴室内の温度が所定の温度（例えば３０℃）以上であるか否かを判別する（ステップＳＴ０５）。ここで浴室内の温度が所定の温度未満である場合、浴室空調装置３の主制御部５Ａより、ミストリモコン７に対して「ミスト運転不可コマンド」を送信する（ステップＳＴ０６）。その後所定時間（例えば５秒間）待機し（ステップＳＴ０７）、再度、ミストリモコン７より、ミスト発生装置２のミスト制御部２Ｂｃを介して浴室空調装置３の主制御部５Ａへ、「ミスト運転開始コマンド」を送信する（ステップ０４）。
【０１３２】
ステップＳＴ０５で浴室内の温度が所定の温度以上であると判別された場合、浴室空調装置３の主制御部５Ａより、ミストリモコン７に対して「ミスト運転許可コマンド」を送信する（ステップＳＴ０８）。その後所定時間（例えば４秒間）待機し（ステップＳＴ０９）、空調リモコン６のミストＬＥＤ６ｋ及びミストＬＥＤ７ｆは点滅のままとなる（ステップＳＴ１０）。
【０１３３】
その後、ミスト制御部２Ｂｃは電磁弁駆動部２Ｂｂにより、給湯用電磁弁２ｄ１・２ｄ２をそれぞれを開状態にし（ステップＳＴ１１）、排水用電磁弁２ｆ１・２ｆ２をそれぞれ開状態にする（ステップＳＴ１２）。これにより、給水配管２ａから配管２ｋを介してドレン配管２ｃより、温水Ｉが排水された状態となる。
【０１３４】
その後、ミスト発生装置２のミスト制御部２Ｂｃにより、タイマｔ３がリセットされ（図１８のステップＳＴ１３）、温度検出センサ２ｈ１・２ｈ２により温水Ｉが所定の温度（例えば３０℃）以上であるか否かを判別する（ステップＳＴ１４）。温水Ｉの温度が所定の温度未満である場合、タイマｔ３のリセットから所定時間（例えば５分間）以上経過しているか否かが判別される（ステップＳＴ１５）。
【０１３５】
ここでタイマｔ３のリセットから所定時間（例えば５分間）以上経過している場合、給湯装置４等に障害が発生していると判断し、図２０に示すフローが実行される。まずミストリモコン７のエラーＬＥＤ７ｈが点灯する（図２０のステップＳＴ３９）。その後、ミスト制御部２Ｂｃは、電磁弁駆動部２Ｂｂにより給湯用電磁弁２ｄ１（２ｄ２）を閉状態にし（ステップＳＴ４０）、ミスト用電磁弁２ｅ１（２ｅ２）を開状態にする（ステップＳＴ４１）。これにより、接続管２ｂ′からの残水が、配管２ｊ及び２ｋを通じて電磁弁２ｆに至りドレン配管２ｃに排水される。これにより、接続管２ｂ′、電磁弁２ｅ、配管２ｊ及び２ｋ内の残水を電磁弁２ｆを通じて浴室外部へ排出することができる。
【０１３６】
その後所定時間（例えば３秒間）待機し（ステップＳＴ４２）、ミスト制御部２Ｂｃは、電磁弁駆動部２Ｂｂによりミスト用電磁弁２ｅ１（２ｅ２）を閉状態にし（ステップＳＴ４３）、排水用電磁弁２ｆ１（２ｆ２）を閉状態にする（ステップＳＴ４４）。その後ミストリモコン７のブザーを３秒間鳴らした後（ステップＳＴ４５）、浴室空調装置３の暖房運転及びルーバ４４を停止させる（ステップＳＴ４６）。
【０１３７】
ここで、使用者が、ミストリモコン７の停止ボタン７ｅ又は空調リモコン６の停止ボタン６ｈを押下することによりエラー状態が解除され（ステップＳＴ４７）、ミストリモコン７のエラーＬＥＤ７ｈが消灯する（ステップＳＴ４８）。
【０１３８】
図１８に戻り、ステップＳＴ１５において、タイマｔ３のリセットより所定時間（例えば５分間）以上経過しておらず、ステップＳＴ１４において温水Ｉが所定の温度（例えば３０℃）以上であると判別された場合は、以下のようなフローが実行される。タイマｔ３のリセットから所定時間（例えば５秒間）以上経過しているか否かが判別される（ステップＳＴ１６）。タイマｔ３のリセットから所定時間（例えば５秒間）以上経過していない場合、再びタイマｔ３がリセットされ（ステップＳＴ１７）、所定時間（例えば５秒間）待機する（ステップＳＴ１８）。
【０１３９】
ステップＳＴ１６において、タイマｔ３のリセットから所定時間（例えば５秒間）以上経過していると判別された場合、あるいはステップＳＴ１８において所定時間（例えば５秒間）待機した後、ミストＬＥＤ６ｋは点滅のままで、ミストＬＥＤ７ｆを点灯させ（ステップＳＴ１９）、ミストリモコン７のブザーを１秒間鳴らす（ステップＳＴ２０）。
【０１４０】
その後、フローチャートには図示しないが、ノズルユニット２Ｇを備える場合においては、ファンモータ２ｒによりプロペラファン２ｓを回転させる。ミスト制御部２Ｂｃは、電磁弁駆動部２Ｂｂによりミスト用電磁弁２ｅ２を開状態にし（ステップＳＴ２１）、排水用電磁弁２ｆ２を閉状態にする（ステップＳＴ２２）。これにより、ミスト発生装置２のノズルユニット２Ｃ２（又はノズルユニット２Ｇ）より、浴室１０１内に微細ミストが噴出され、浴室空調装置３の吹出口４１より浴室１０１内に温風が送風されるミスト運転状態となる（この状態は第１状態の一例である）。この時、図２１に示す時間変化においては、図２１ＡのＪ及び図２１ＢのＮに示す箇所である。
【０１４１】
本発明の浴室空調システム１においては、このように、まず微細ミストが先に浴室１０１内に噴出されるため、図２１ＡのＦに示すように、通常ミストを噴出した場合のＧと比較して、温度の急激な低下を防ぐことが可能となる。
【０１４２】
微細ミストの噴出開始後、所定時間（例えば５分間）待機する（ステップＳＴ２３）。その後、主制御部５Ａは温度検出センサ６９により、浴室１０１内の温度が所定値（例えば３５℃）以上となったか否かを判別する（ステップＳＴ２４）。浴室１０１内の温度が所定値（例えば３５℃）以上でない場合、浴室１０１内の温度が所定値以上となるまで待機する。
【０１４３】
ここで、ステップＳＴ２３及びステップＳＴ２４において、微細ミストの噴出開始後、所定時間（例えば５分間）待機した後、浴室１０１内の温度が所定値（例えば３５℃）以上となったか否かを判別するとした。
【０１４４】
微細ミストの噴出後、所定時間（例えば５分間）が経過し、浴室１０１内の温度が所定値（例えば３５℃）となった後、浴室１０１内の湿度が所定の値以上の状態であると判断して、ミストＬＥＤ６ｋを点灯させた後ミスト用電磁弁２ｅ１を開状態とし（ステップＳＴ２５）、排水用電磁弁２ｆ１を閉状態とする（ステップＳＴ２６）。これにより、浴室１０１内に通常ミストが噴出された状態となる（この状態は第２状態の一例である）。この時、図２１に示す時間変化においては、図２１ＡのＫ及び図２１ＢのＯに示す箇所である。
【０１４５】
このように、本発明の浴室空調システム１においては、浴室１０１内の温度が所定以上であり、微細ミストを浴室１０１内に噴出して所定時間経過した状態で、浴室１０１内の湿度が所定値以上であると判断して、通常ミストを浴室１０１内に噴出する。これにより、図２１ＢのＦに示すように、微細ミストのみを噴出した場合と比較して浴室１０１内の湿度を早く上昇させることが可能となる。
【０１４６】
また、上述した例においては、微細ミスト噴出から所定時間（例えば５分間）経過して、浴室１０１内が所定の温度（例えば３５℃）であることにより、浴室１０１内が所定の湿度以上であると判断するとした。しかし、湿度検出センサ６９ａにより浴室１０１内が湿度の湿度以上であるか否かを判別するとしてもよく、湿度検出センサ６９ａと温度検出センサ６９の両方の値を検出して、浴室１０１内の温度と湿度の両方の値により判別するようにしてもよい。
【０１４７】
通常ミストの噴出を開始した後、排水用電磁弁２ｆ２を開状態とし（ステップＳＴ２７）、ミスト用電磁弁２ｅ２を閉状態とし（ステップＳＴ２８）、給湯用電磁弁２ｄ２を閉状態とする（ステップＳＴ２９）。これにより、微細ミストの浴室１０１内への噴出が停止する。その後、フローチャートには示さないが、ノズルユニット２Ｇを備える場合においては、ファンモータ２ｒを停止し、プロペラファン２ｓを停止させる。
【０１４８】
ステップＳＴ２９の後、所定時間（例えば１０分間）待機する（ステップＳＴ３０）。その後、主制御部５Ａは湿度検出センサ６９ａにより、浴室１０１内の湿度が所定値（例えば９５％）以上となったか否かを判別する（ステップＳＴ３１）。浴室１０１内の湿度が所定値（例えば９５％）以上でない場合、浴室１０１内の湿度が所定値（例えば９５％）以上となるまで待機する。
【０１４９】
浴室１０１内の湿度が所定値以上となった場合、空調リモコン６のミストＬＥＤ６ｋ及びミストリモコン７のミストＬＥＤ７ｆを点灯させる（ステップＳＴ３２）。その後、給湯用電磁弁２ｄ２を開状態とし（ステップＳＴ３３）、ミスト用電磁弁２ｅ２を開状態とし（ステップＳＴ３４）、排水用電磁弁２ｆ２を閉状態とする（ステップＳＴ３５）。その後、排水用電磁弁２ｆ１を開状態とし（ステップＳＴ３６）、ミスト用電磁弁２ｅ１を閉状態とし（ステップＳＴ３７）、給湯用電磁弁２ｄ１を閉状態とする（ステップＳＴ３８）。これにより、浴室１０１内への通常ミストの噴出が停止し、微細ミストの噴出が開始された状態となる。この時、図２１に示す時間変化においては、図２１ＡのＬ及び図２１ＢのＰに示す箇所である。
【０１５０】
その後、空調リモコン６、ミストリモコン７の停止ボタン６ｈ、７ｅが押されるか、所定時間（例えば１時間）経過するかによって、ミスト発生装置２、浴室空調装置３の運転を停止する。また、湿度検出センサ６９ａによって、浴室１０１内の湿度を継続して監視し、浴室１０１内の湿度が所定湿度（例えば９０％）を下回った場合は、ノズルユニットから通常ミストを噴出して、再度、浴室１０１内の湿度が所定湿度（例えば９５％）を上回った場合は、ノズルユニットから微細ミストを噴出することにより、浴室１０１内の湿度に応じて、通常ミストと微細ミストの噴出を切り換えるようにしてもよい。
【０１５１】
このように、本発明の浴室空調システム１においては、浴室１０１内の湿度が飽和した状態において、通常ミストの噴出を停止して微細ミストの噴出を行う。これにより、浴室１０１内の湿度を所定以上に保ち、且つ浴室内に噴出されるミストの量を減少させることができ、使用する湯量を削減することが可能となる。
【０１５２】
また、上述した例においては、浴室１０１内の湿度が飽和した状態であると判別するのに、通常ミスト噴出からの時間経過及び浴室１０１内の温度により判断するとした。しかし、浴室空調システム１が湿度センサを備え、湿度センサにより浴室１０１内の湿度が飽和した状態であるか否かを判別するとしてもよい。
【０１５３】
また、上述した第１のミスト発生装置２Ａにおいては、通常のミストを噴出するノズルユニット２Ｃ１と、微細ミストを噴出するノズルユニット２Ｃ２とを備え、第１状態においてはノズルユニット２Ｃ２から微細ミストを噴出し、第２状態においてはノズルユニット２Ｃ１から通常のミストを噴出するとした。
【０１５４】
しかし、通常のミストを噴出するノズルユニット２Ｃ１を２組備え、第１状態においては一方のノズルユニット２Ｃ１からミストを噴出し、第２状態においては両方のノズルユニット２Ｃ２からミストを噴出するとしてもよい。
【産業上の利用可能性】
【０１５５】
本発明は、ミストの噴出し及び空気の送風を行うことにより、浴室内にミストサウナ環境をつくる浴室空調システムに適用される。
【図面の簡単な説明】
【０１５６】
【図１】本実施の形態の浴室空調システムの構成例を示す説明図である。
【図２】第１のミスト発生装置の構成例を示す説明図である。
【図３】ノズルユニットの構成例を示す説明図である。
【図４】電磁弁ユニットの構成例を示す説明図である。
【図５】電磁弁ユニットの動作例を示す説明図である。
【図６】電磁弁ユニットの動作例を示す説明図である。
【図７】第１のミスト発生装置の構成例を示す説明図である。
【図８】ノズルユニットの構成例を示す説明図である。
【図９】ノズルユニットの構成例を示す説明図である。
【図１０】浴室空調装置の構成例を示す説明図である。
【図１１】浴室空調装置の構成例を示す説明図である。
【図１２】浴室空調装置の動作例を示す説明図である。
【図１３】ヒートポンプ式の給湯装置の構成例を示す説明図である。
【図１４】ミストリモコンの構成例を示す説明図である。
【図１５】空調リモコンの構成例を示す説明図である。
【図１６】浴室空調装置及びミスト発生装置の制御系を示す説明図である。
【図１７】ミスト運転開始時の動作例を示すフローチャートである。
【図１８】ミスト運転開始時の動作例を示すフローチャートである。
【図１９】ミスト運転開始時の動作例を示すフローチャートである。
【図２０】ミスト運転開始時の動作例を示すフローチャートである。
【図２１】本発明の浴室空調システムのミスト運転開始時の動作例を示す説明図である。
【図２２】従来の浴室空調システムのミスト運転開始時の動作例を示す説明図である。
【符号の説明】
【０１５７】
１・・・浴室空調システム、２、２Ａ、２Ｅ・・・ミスト発生装置、２Ｃ、２Ｃ１、２Ｃ２・・・ノズルユニット、２Ｄ，２Ｄ１、２Ｄ２′・・・電磁弁ユニット、２ａ・・・給水配管、２ｂ・・・ノズル配管、２ｃ・・・ドレン配管、２ａ′〜２ｃ′・・・接続部、２ｄ，２ｅ，２ｆ・・・電磁弁、２ｈ・・・温度検出センサ、２ｊ〜２ｋ・・・配管、３・・・浴室空調装置、４・・・給湯装置、５Ａ・・・制御部、６・・・空調リモコン、６ａ，７ａ，８０ａ・・・通信ケーブル、７・・・ミストリモコン、７ａ・・・通信ケーブル、２６・・・フロントパネル、４４・・・ルーバ、１０１・・・浴室
【図１】
0004821422.tif 000002
【図２】
0004821422.tif 000003
【図３】
0004821422.tif 000004
【図４】
0004821422.tif 000005
【図５】
0004821422.tif 000006
【図６】
0004821422.tif 000007
【図７】
0004821422.tif 000008
【図８】
0004821422.tif 000009
【図９】
0004821422.tif 000010
【図１０】
0004821422.tif 000011
【図１１】
0004821422.tif 000012
【図１２】
0004821422.tif 000013
【図１３】
0004821422.tif 000014
【図１４】
0004821422.tif 000015
【図１５】
0004821422.tif 000016
【図１６】
0004821422.tif 000017
【図１７】
0004821422.tif 000018
【図１８】
0004821422.tif 000019
【図１９】
0004821422.tif 000020
【図２０】
0004821422.tif 000021
【図２１】
0004821422.tif 000022
【図２２】
0004821422.tif 000023